(57)【要約】【課題】  外装ケースの上部のイグナイタケース部分の大きさと重量とを小さくすると共に、装置全体の重心を下方に下げて振動に強い点火装置を提供する。【解決手段】  内燃機関用点火装置が、コイル部とイグナイタユニットとを内部に装備した外装ケースを有し、該外装ケースがコイル部ケースとコネクタ部を有するイグナイタケースとを備えると共に、前記コイル部ケースが内燃機関のプラグホール内に挿入配置されるもので一方、前記イグナイタケース内に前記イグナイタユニットを装着配備するものであり、前記イグナイタユニットがスイッチング用半導体と電流制限回路とを内蔵した単体シリコンチップの半導体素子を備え、かつ、前記スイッチング用半導体がインシュレーテッドバイポーラトランジスタ（ＩＧＢＴ）もしくはパワートランジスタからなる。【選択図】  図３
2005140121.tif 000002
【特許請求の範囲】
【請求項１】
コイル部とイグナイタユニットとを内部に装備した外装ケースを備えた内燃機関用点火装置において、
前記イグナイタユニットは、スイッチング用半導体と電流制限回路とを内蔵した単体シリコンチップの半導体素子を備えていることを特徴とする内燃機関用点火装置。
【請求項２】
前記外装ケースは、コイル部ケースとコネクタ部を有するイグナイタケースとを備え、前記コイル部ケースが内燃機関のプラグホール内に挿入配置され、前記イグナイタケース内に前記イグナイタユニットを装着配置することを特徴とする請求項１に記載の内燃機関用点火装置。
【請求項３】
前記スイッチング用半導体は、インシュレーテッドバイポーラトランジスタ（ＩＧＢＴ）もしくはパワートランジスタであることを特徴とする請求項１又は２に記載の内燃機関用点火装置。
【請求項４】
前記イグナイタユニットは、入力クランプ機能を有するダイオードと接続中継端子とを更に備えていることを特徴とする請求項１乃至３のいずれか一項に記載の内燃機関用点火装置。
【請求項５】
前記単体シリコンチップの半導体素子と前記ダイオードとは、前記接続中継端子を介してコネクタ端子に接続されることを特徴とする請求項４に記載の内燃機関用点火装置。
【請求項６】
前記ダイオードは、前記接続中継端子の上部に装着されることを特徴とする請求項４又は５に記載の内燃機関用点火装置。
【請求項７】
前記イグナイタユニットは、前記シリコンチップの半導体素子、前記ダイオード、及び、前記接続中継端子を金属製ベース板上に載置固定していることを特徴とする請求項４乃至６のいずれか一項に記載の内燃機関用点火装置。
【発明の詳細な説明】
【技術分野】
【０００１】
本発明は、内熱機関用点火装置に係り、特に、内燃機関のシリンダヘッド部に設けられるプラグホール内に収納される円筒形点火装置に関する。
【背景技術】
【０００２】
従来、この種の内燃機関の点火装置としては、イグニッションコイルの一次電流を断続通電するパワースイッチとイグニッションコイルとを一体化し、該点火装置を内燃機関のシリンダヘッド部に設けたプラグホール内に装着するタイプのものがある。
【０００３】
例えば、実開平４−６２３５９号公報（特許文献１）に開示されている点火装置は、円筒状で、該円筒状の中心部にセンタコア（開磁路鉄心）を配置し、該センタコアの外周に一次コイルと二次コイルとを巻回し、該二次コイルの外周にサイドコア（外装鉄心）を配置したイグニッションコイル本体と、該イグニッションコイル本体の上部にパワースイッチを含むイグナイタユニット（ＩＣパッケージ体）とで構成され、前記イグニッションコイル本体とイグナイタユニットとは、円筒状のコイル収納部である外装ケースに一体に埋設収納され、その外装ケース上部に電気的接続用のコネクタ部を配置する構造となっている。
【０００４】
前記提示の従来技術は、前記コイル本体を前記プラグホール内に収納する場合には、前記イグナイタユニットをプラグホールの上部に突き出し、前記コネクタ部を前記イグナイタユニットの上部に配置する構造となっているために、前記点火装置の全体の高さが高くなってしまうとの不都合が生じるものであつた。
【０００５】
本出願人は、前記不都合を解消するべく、特開平９−６３８７３号公報（特許文献２、特願平７−２２０２３３号）として図７に示す如き内燃機関用点火装置５０を提案している。該点火装置５０は、コイル本体５１とイグナイタユニット６０とを内部に装備した外装ケース５２を、コイル本体５１を内装する筒状のコイル部ケース５３と該コイル部ケース５３の上部に配置されるカップ型のイグナイタケース５４とで構成し、該イグナイタケース５４の側方部に電気接続用のコネクタ５５を一体に成形した構成としている。
【０００６】
そして、イグナイタケース５４内には、イグナイタユニット６０を設置すると共に、前記イグナイタユニット６０は、箱型にプレス成形された銅またはアルミ製の金属製ベース６１に、パワートランジスタチップ６２とハイブリッドＩＣ回路６３とを装着載置する構成とされており、前記金属製ベース６１内には、シリコンゲルが充填されるものである。前記金属製ベース６１には、ポリブチレンテレフタレート等の熱可塑性合成樹脂で一体成形された端子台６４がシリコン接着剤等で接着されている。前記端子台６４に固定されているイグナイタ側端子６５は、１次コイル端子６７とコネクタ側端子６６とを溶接等で電気的に接続している。
【０００７】
【特許文献１】実開平４−６２３５９号公報
【特許文献２】特開平９−６３８７３号公報
【発明の開示】
【発明が解決しようとする課題】
【０００８】
ところで、前記提案の技術においては、前記イグナイタユニット６０は、アルミ製の金属製ベース６１内にパワートランジスタチップ６２である半導体素子と該半体素子に流れる電流値を制御する制御回路であるハイブリッドＩＣ回路６３とを別体で配置した構造としたものであるので、該構造のものでは、前記外装ケース５２の上部に位置するイグナイタケース（イグナイタ収納部）５４内での前記パワートランジスタチップ６２と前記ハイブリッドＩＣ回路６３との配置面積が前記コイル本体ケース５３の断面積に比較して大きくなってしまい、結果として前記イグナイタケース（イグナイタ収納部）５４を大きく、かつ、重量のあるものとしなければならないと云う不都合が生じていた。
【０００９】
このことは、前記点火装置５０の内、内燃機関のプラグホールから突出する上部部位が大きくなることを意味し、前記点火装置５０の重心位置が上方に位置することとなってしまう為、前記点火装置５０の強度が内燃機関の振動に対して弱くなるという問題点があった。
【００１０】
本発明は、このような問題に鑑みてなされたものであって、その目的とするところは、前記外装ケースの上部のイグナイタケース部分の大きさと重量とを小さくすると共に、装置全体の重心を下方に下げて振動に強い点火装置を提供することである。
【課題を解決するための手段】
【００１１】
前記目的を達成すべく、本発明に係る内燃機関用点火装置は、コイル部とイグナイタユニットとを内部に装備した外装ケースを備え、該外装ケースがコイル部ケースとコネクタ部を有するイグナイタケースとを備え、かつ、前記コイル部ケースが内燃機関のプラグホール内に挿入配置されると共に、前記イグナイタケース内に前記イグナイタユニットを装着配備するタイプに好適であり、前記イグナイタユニットがスイッチング用半導体と電流制限回路とを内蔵した単体シリコンチップの半導体素子を備えていることを特徴としている。
【００１２】
そして、本発明の具体的な態様としては、前記スイッチング用半導体がインシュレーテッドバイポーラトランジスタ（ＩＧＢＴ）もしくはパワートランジスタであり、かつ、該ユニットが入力クランプ機能を有するダイオード（例えば、ツェナーダイオード）と接続中継端子とを備え、前記単体シリコンチップの半導体素子と前記ダイオードとが前記接続中継端子を介してコネクタ端子に接続され、更に、前記ダイオードが前記接続中継端子の上部に装着されると共に、前記シリコンチップの半導体素子、前記ダイオード、及び、前記接続中継端子が金属製ベース板上に載置固定されることを特徴としている。
【００１３】
このように構成された本発明に係る内燃機関用点火装置は、イグナイタユニットの主要部であるスイッチング半導体と電流制限回路とを単体シリコンチップに組込み内蔵したことによって、該イグナイタユニットを小さくできるので、結果として前記イグナイタケースのイグナイタ収納部を小形化でき、かつ、軽量化することができ、内燃機関の振動に対して強い外装ケースの点火装置を供給することができる。
【００１４】
また、接続中継端子を前記イグナイタ収納部内に配置することで、前記単体のシリコンチップの半導体素子の接続端子と外部電気接続のコネクタ側端子との接続を前記接続中継端子を介して行うことができ、該端子間の接続を容易にし、ツェナーダイオード等のダイオードを前記接続中継端子の上部に装着配置したことによって、前記イグナイタ収納部内に前記ツェナーダイオードをコンパクトに収納できると共に、接続中継端子を利用することで、配線及び接合等も容易になる。
【発明の効果】
【００１５】
以上の説明から理解できるように、本発明の内燃機関用点火装置は、イグナイタケースのイグナイタ収納部に、インシュレーテッドバイポーラトランジスタ（ＩＧＢＴ）と電流制限回路とを組込み内蔵した単体シリコンチップの半導体素子を装着配置して構成したことによって、前記イグナイタケースのイグナイタ収納部を小形化し、かつ、軽量化することができるので、内燃機関の振動に対して強度的に強い点火装置を提供することができる。
【００１６】
また、接続中継端子を前記イグナイタ収納部に配置することで、前記単体のシリコンチップの半導体素子の接続端子と外部電気接続のコネクタ側端子との接続を前記接続中継端子を介して行うことで、該端子間の接続を容易にできる。
【００１７】
更に、ツェナーダイオードを前記接続中継端子の上部に接合配置したことによって、前記イグナイタ収納部内に前記ツェナーダイオードをコンパクトに収納でき、その取付場所として接続中継端子を利用することで、配線及び接着等も容易にできる。
【発明を実施するための最良の形態】
【００１８】
以下、図面により本発明の一実施の形態について説明する。
【００１９】
図１は、本実施形態の点火装置１０を内燃機関１のシリンダヘッド部２に装備した状態を示す断面図である。
【００２０】
前記内燃機関１のシリンダヘッド部２には、内燃機関１の燃焼室３にその先端４ａが突出する点火プラグ４が装着され、該点火プラグ４の上部のプラグホール５には、本実施形態の点火装置１０が装着されされている。前記点火プラグ４の他端４ｂは前記点火装置１０の下部のゴムブーツ２５に挿入され、前記点火装置１０と電気的に接続されている。前記点火装置１０の上部は、取付ボルト６で前記シリンダヘッド部２のカバー部７に取付固定されている。
【００２１】
図２は、本実施形態の点火装置１０の断面図であり、図３は、図２の点火装置１０を矢視III方向から見た平面図である。前記点火装置１０の中心部には、センタコア（開磁路鉄心）１７が配置され、該センタコア１７は珪素鋼板をプレス積層したもので構成されている。前記センタコア１７の外周には一次ボビン１１が嵌合し、該一次ボビン１１の外周にはエナメル線等から成る一次コイル１２が巻層されている。
【００２２】
更に、前記一次ボビン１１の外側には二次ボビン１３が嵌合し、該二次ボビン１３には間隔をおいて多数の分割された二次コイル１４が巻層されている。前記二次ボビン１３の外周には、外装ケース１５が嵌合している。更に、前記外装ケース１５のコイルケース部１５ｂの外側には、薄い珪素鋼板を管状に形成したサイドコア（外装鉄心）１８が配置されている。
【００２３】
前記コイル部ケース１５ｂの内燃機関１のシリンダヘッド部２のカバーと接する部分には、シール用のシールゴム２６が設けられていると共に、前記外装ケース１５の上部には、電気的接続用のコネクタ部３４とイグナイタケース１５ａとが配置され、該イグナイタケース１５ａのコイル上部部分には、イグナイタユニット３０が設置されている。
【００２４】
そして、前記外装ケース１５のイグナイタケース１５ａは、コネクタ３４の衝撃強度、寸法精度を確保することからポリブチレンテレフタレートで形成され、図２のように、イグナイタユニット３０の収納部とコネクタ３４を兼ねたコップ状になっており、コイル部ケース１５ｂとの接合部には段付き部、位置決め用突起が設けてある。一方、コイル部ケース１５ｂは、ポリフェニレンサルファイド（ＰＰＳ）に変性ポリフェニレンオキサイド（変性ＰＰＯ）をたとえば約２０％混ぜ合わせた材料で形成されている。
【００２５】
前記イグナイタユニット３０は、銅、鉄またはアルミ製の金属製ベース３６上に載置される後述（図５参照）するスイッチング用半導体であるインシュレーテッドバイポーラトランジスタ（ＩＧＢＴ）３１ａと電流制限回路３１ｂとを組込み内蔵した単一シリコンチップの半導体素子３１と、接続中継端子３２と、該接続中継端子３２上に装着されている入力電圧クランプ機能を担うツェナーダイオード３３とで構成され、前記金属製ベース３６上には、シリコンゲルが充填されている。
【００２６】
単一シリコンチップの半導体素子３１は、図４の（ａ）（ｂ）に示すような外観をしており、銅等の前記金属製ベースにはんだ（例えば、鉛とスズを８０〜９０％：１０〜２０％の割合、もしくは、Ｓｎ：Ｓｂ：Ｎｉ：Ｐを９０〜９７：４〜８：０．３〜０．９：０．０１〜０．２の割合）接合し、モールディングしたものである。前記単一シリコンチップの半導体素子３１は、３本（場合によっては３〜６本）のリード端子３１ｃ，３１ｃを備え、該リード端子３１ｃは接続中継端子３２に圧入、はんだ付け、溶接、接着等の手段によって接合されている。
【００２７】
また、前記単一シリコンチップの半導体素子３１は、消費電力の増大、環境温度の高温化等を配慮して前記金属製ベース３６と共にイグナイタケース１５ａにネジ３１ｄで止められるか、場合によっては、はんだ接合、接着剤（たとえば導電性、絶縁性の）等により固定される。
【００２８】
前記接続中継端子３２は、外部機器とのコネクトの為に、接続コネクタのコネクタ端子３５ａ、３５ｂと溶接もしくは圧着により固定するとともに、一次コイル１２の巻き始め端部３５ｄを固定接合している。コネクタ端子３５ｃは一次コイル１２の他の端部３５ｅに固定されている。
前記ツェナーダイオード３３は、前記接続中継端子３２の上部に装着配置されている。
【００２９】
図５は、本実施形態の点火装置１０の点火制御回路を示したものであり、該点火装置１０は、概略、一次コイル１２と二次コイル１４から成るイグニッションコイル部１０ａ、前記単一シリコンチップの半導体素子３１、及び、ツェナーダイオード３３とを備え、前記単一シリコンチップの半導体素子３１には、インシュレーテッドバイポーラトランジスタ（ＩＧＢＴ）３１ａと電流制限回路３１ｂとが組込み内蔵されている。内燃機関の制御装置９からの点火制御信号は、前記ＩＧＢＴ３１ａの入力信号としてベースからエミッタへのベース電流を断続するものであり、該ベース電流の出力としてコレクタからエミッタに電流を流すこと、即ち、電源であるバッテリー８からイグニッションコイル部１０ａの一次コイル１２に電流を流して磁界を発生させる。
【００３０】
点火プラグ４の点火に当たっては、前記制御装置９から前記ＩＧＢＴ３１ａへの点火信号によって前記一次コイル１２への電流を切ることで、前記一次コイルの磁界を零にして、一次側に大きな電圧の起電力を発生させ、該起電力の発生により前記イグニッションコイル部１０ａの二次コイル１４に更に高い電圧を発生させて、点火プラグ４をスパークさせる。
【００３１】
前記ツェナーダイオード３３は、入力電圧のクランプ機能を担うもので、通常作動時のＩＧＢＴ３１ａへの入力部電圧と制御装置９と点火装置１０との間の信号線が、何等かの原因で断線したときの該ＩＧＢＴ３１ａへの入力部電圧との差を大きくして、前記制御装置９側の前記断線の検出機能部であるコンパレータ（図示省略）の設定基準電圧値の設定を明確にできるようにして前記断線の検出を容易にするものであり、本点火制御回路に必要な素子である。
【００３２】
前記構成の如く、本実施形態の内燃機関用点火装置は、イグナイタユニット３０の主要部のスイッチング用半導体であるＩＧＢＴ３１ａと電流制限回路３１ｂとを組込み内蔵した単体シリコンチップの半導体素子３１としたので、イグナイタユニット３０の必要面積を小さくでき、結果として、前記イグナイタケース１５ａのイグナイタ収納部を小形化し、かつ、軽量化することができるので、内燃機関の振動に対して強い点火装置１０を供給することができる。
【００３３】
そして、接続中継端子３２を前記イグナイタ収納部内に配置することで、前記単体のシリコンチップの半導体素子３１のリード端子３１ｃ、３１ｃ、３１ｃと、外部電気接続のコネクタ端子３５ａ、３５ｂ、３５ｃとの接続を、前記接続中継端子３２を介して行うことができ、該端子間の接続を容易にし、ツェナーダイオード３３を前記接続中継端子３２の上部に装着配置したことによって、前記イグナイタ収納部内に前記ツェナーダイオード３３をコンパクトに収納できると共に、接続中継端子３２を利用することで、配線及び接合等も容易になる。
【００３４】
また、前記ツェナーダイオード３３は、前記単一シリコンチップの半導体素子３１の内に一体として組込み内蔵することも可能であるが、組込んだ場合には、前記ツェナーダイオード３３がパワー系素子であるために、それなりの大きな面積を必要とすることから、結果として前記シリコンチップの半導体素子３１の面積が大きくなるばかりでなく、一体に組込む場合には、製造コストも高くなり、かつ、該素子の標準化も図りずらいとの問題があり、別体とすることが好ましいものである。
【００３５】
以上、本発明の一実施形態について詳述したが、本発明は、前記実施形態に限定されるものではなく、特許請求の範囲に記載された発明の精神を逸脱しない範囲で、設計において、種々の変更ができるものである。
【００３６】
例えば、本発明の前記シリコンチップの半導体素子３１の前記イグナイタケース１５ａへの装着に当たっては、金属製ベースを用いずに、図６に示すように、直接、前記シリコンチップの半導体素子３１を前記イグナイタケース１５ａへ装着する構造とすることもできる。この場合、接続中継端子３２も直接イグナイタケース１５ａに装着することとなる。
【００３７】
また、前記実施形態においては、一次コイルのボビン１１の外側に二次コイルのボビン１３を配置した点火装置１０について説明したが、本発明は、二次コイルのボビンの外側に一次コイルのボビンを配置した点火装置にも適用できるものである。
【００３８】
更に、前記実施形態においては、前記単一シリコンチップの半導体素子に組込み内蔵するスイッチング用半導体を、インシュレーテッドバイポーラトランジスタ（ＩＧＢＴ）としたが、他のパワートランジスタを用いることもできる。
【図面の簡単な説明】
【００３９】
【図１】本発明の一実施形態の点火装置を装備した内燃機関のシリンダヘッド部の断面図。
【図２】図１の内燃機関用点火装置の縦断面図。
【図３】図２の内燃機関用点火装置の矢視III方向から見たイグナイタケースの平面図。
【図４】図２の内燃機関用点火装置に装備される単体シリコンチップの半導体素子であって、（ａ）は該半導体素子の平面図、（ｂ）は側面図。
【図５】図２の内燃機関用点火装置の点火制御回路図。
【図６】本発明の他の実施形態の内燃機関用点火装置のイグナイタケースの平面図。
【図７】従来の内燃機関用点火装置であって、（ａ）はイグナイタケースの平面図、（ｂ）は内燃機関用点火装置の縦断面図。
【符号の説明】
【００４０】
１…内燃機関、４…点火プラグ、８…バッテリー、９…制御装置、１０…点火装置、１０ａ…イグニッションコイル部、１１…一次ボビン、１２…一次コイル、１３…二次ボビン、１４…二次コイル、１５…外装ケース、１５ａ…イグナイタケース、１５ｂ…コイル部ケース、１７…センタコア、１８…サイドコア、３０…イグナイタユニット、３１…単一シリコンチップの半導体素子、３１ａ…スイッチング用半導体（インシュレーテッドバイポーラトランジスタ）、３１ｂ…電流制限回路、３１ｃ…リード端子、３２…接続中継端子、３３…ツェナーダイオード、３４…コネクタ部、３５…コネクタ端子、３６…金属製ベース
【図１】
2005140121.tif 000003
【図２】
2005140121.tif 000004
【図３】
2005140121.tif 000005
【図４】
2005140121.tif 000006
【図５】
2005140121.tif 000007
【図６】
2005140121.tif 000008
【図７】
2005140121.tif 000009
【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
内燃機関のプラグホール内に挿入されるコイル部ケースと、スイッチング用半導体と電流制限回路とを内蔵した単体シリコンチップの半導体素子を備え、その外周にコネクタ部を有するイグナイタケースとからなり、
前記単体シリコンチップの半導体素子は、その高さ、幅、奥行きにおいて前記コネクタ部の高さ、幅、奥行きより小さく構成されている内燃機関用点火装置。
【請求項２】
請求項１に記載の内燃機関用点火装置において、
前記コネクタ部のコネクタ端子より前記単体シリコンチップの半導体素子に設けられた端子の方が細く構成されており、
両端子は両端子間に位置する端子接続中継部において互いに接続され、
さらに、前記端子接続中継部には前記コイル部ケース内のコイルと前記単体シリコンチップの半導体素子に設けられた端子との電気的接続部が形成されている内燃機関用点火装置。
【請求項３】
コイル部とイグナイタユニットとを内部に装備した外装ケースを備えた内燃機関用点火装置において、
前記イグナイタユニットは、スイッチング用半導体と電流制限回路とを内蔵した単体シリコンチップの半導体素子を備え、
前記外装ケースは、内燃機関のプラグホール内に挿入されるコイル部ケースと、コネクタ部を有するイグナイタケースとを備え、
前記イグナイタケース内に前記イグナイタユニットが装着配置され、
前記コネクタ部は前記イグナイタケースの側面において、前記コイル部ケースの長手方向軸線に対して交差する方向に突出しており、
前記イグナイタユニットを構成する単体シリコンチップの半導体素子は前記コイル部ケースの長手方向軸線に対して交差する面に取り付けられており、
且つ、前記単体シリコンチップの半導体素子の複数の端子が前記コネクタ部と同じ方向に向かって延びて前記コネクタ部の複数のコネクタ端子と電気的に接続されており、
前記単体シリコンチップの半導体素子は前記コネクタ部の幅よりその幅が小さく、前記コネクタ部の高さよりその高さが低く構成されていることを特徴とする内燃機関用点火装置。
【請求項４】
請求項３に記載の内燃機関用点火装置において、
前記コネクタ部のコネクタ端子と前記単体シリコンチップの半導体素子に設けられた端子は両端子間に位置する端子接続中継部において互いに接続され、
さらに、前記端子接続中継部には前記コイル部ケース内のコイルと前記単体シリコンチップの半導体素子に設けられた端子との電気的接続部が形成されていることを特徴とする内燃機関用点火装置。
【請求項５】
内燃機関の点火装置であって、
筒状の点火コイル部が収納されたコイル部ケースと、
前記コイル部ケースの一端に設けられ、前記筒状点火コイル部の長手方向軸線に対して直角方向に交わる扁平なイグナイタ部収容空間を有するイグナイタ収容ケース部と、
前記扁平なイグナイタ部収容空間内で前記筒状点火コイルの長手方向軸線に対して直角方向に交わる面に沿って配置されたイグナイタ部と、
前記イグナイタ収容ケース部の外周から突出する外部接続用コネクタ部とを備え、
前記イグナイタ部はスイッチング半導体素子部と電流制限回路部を単一シリコンチップに形成した単一シリコンチップイグナイタとして構成されており、
当該単一シリコンチップイグナイタは複数の端子が集合された側面を有し、
当該複数の端子が集合された側面が前記イグナイタ収容ケース部の側面に設けられた外部接続用コネクタ部のコネクタ端子に向き合って取付けられており、
かつ、前記単一シリコンチップの複数の端子が集合された側面の幅は前記コネクタ部の幅より狭く構成されており、
前記コイル部ケースの一端に設けられ、前記筒状点火コイルの長手方向軸線に対して直角方向に交わる扁平なイグナイタ部収容空間部において、前記単一シリコンチップイグナイタの側面に集合された複数の端子と前記外部接続用コネクタ部のコネクタ端子とが電気的に接続されている内燃機関用点火装置。
【請求項６】
前記コイル部ケースの上部に前記イグナイタ収容ケース部を構成するベースを取り付け、
当該ベースの上に前記単一シリコンチップが取り付けられている請求項５に載の内燃機関用点火装置。
【請求項７】
前記コネクタ部には前記単一シリコンチップイグナイタの端子と電気的に接続される複数のコネクタ端子及び一次巻線の巻き終わり端部と接続される別のコネクタ端子が形成されている請求項５に記載の内燃機関用点火装置。
【請求項８】
前記コネクタ部に設けた２本のコネクタ端子の幅の範囲内に前記単一シリコンチップイグナイタの側面に集合された３本の端子が配置されている請求項５に記載の内燃機関用点火装置。
【請求項９】
前記単一シリコンチップイグナイタが金属製ベースに載置されている請求項５に記載の内燃機関用点火装置。
【請求項１０】
前記単一シリコンチップイグナイタが前記イグナイタ収容ケース部へ直接装着されている請求項５に記載の内燃機関用点火装置。
【請求項１１】
前記スイッチング半導体素子は、インシュレーテッドバイポーラトランジスタもしくはパワートランジスタである請求項５に記載の内燃機関用点火装置。
【請求項１２】
前記イグナイタ部は、前記単体シリコンチップイグナイタの前記複数の端子の内の一対の端子間に電気的に接続された入力クランプ用のダイオードを有し、
当該入力クランプ用のダイオードは前記外部接続用コネクタ部の複数のコネクタ端子の内の一対の端子間、前記単体シリコンチップイグナイタの前記複数の端子の内の一対の端子間若しくは前記外部接続用コネクタ部の複数のコネクタ端子と前記単体シリコンチップイグナイタの前記複数の端子の接続部の内の一対の接続部のいずれかに跨って取付けられている
請求項５に記載の内燃機関用点火装置。
【手続補正２】
【補正対象書類名】明細書
【補正対象項目名】００１１
【補正方法】変更
【補正の内容】
【００１１】
前記目的を達成すべく、本発明に係る内燃機関用点火装置は、内燃機関のプラグホール内に挿入されるコイル部ケースと、スイッチング用半導体と電流制限回路とを内蔵した単体シリコンチップの半導体素子を備え、その外周にコネクタ部を有するイグナイタケースとからなり、前記単体シリコンチップの半導体素子は、その高さ、幅、奥行きにおいて前記コネクタ部の高さ、幅、奥行きより小さく構成されていることを特徴としている。また、前記コネクタ部のコネクタ端子より前記単体シリコンチップの半導体素子に設けられた端子の方が細く構成されており、両端子は両端子間に位置する端子接続中継部において互いに接続され、さらに、前記端子接続中継部には前記コイル部ケース内のコイルと前記単体シリコンチップの半導体素子に設けられた端子との電気的接続部が形成されていることが好ましい。
【手続補正３】
【補正対象書類名】明細書
【補正対象項目名】００１２
【補正方法】変更
【補正の内容】
【００１２】
そして、本発明の具体的な態様としては、前記スイッチング用半導体がインシュレーテッドバイポーラトランジスタ（ＩＧＢＴ）もしくはパワートランジスタであり、かつ、該ユニットが入力クランプ機能を有するダイオード（例えば、ツェナーダイオード）と端子接続中継部とを備え、前記単体シリコンチップの半導体素子と前記ダイオードとが前記端子接続中継部を介してコネクタ端子に接続され、更に、前記ダイオードが前記端子接続中継部の上部に装着されると共に、前記シリコンチップの半導体素子、前記ダイオード、及び、前記端子接続中継部が金属製ベース板上に載置固定されることを特徴としている。
【手続補正４】
【補正対象書類名】明細書
【補正対象項目名】００１４
【補正方法】変更
【補正の内容】
【００１４】
また、端子接続中継部を前記イグナイタ収納部内に配置することで、前記単体のシリコンチップの半導体素子の接続端子と外部電気接続のコネクタ側端子との接続を前記端子接続中継部を介して行うことができ、該端子間の接続を容易にできる。
また、ツェナーダイオード等のダイオードを前記端子接続中継部の上部に装着配置したことによって、前記イグナイタ収納部内に前記ツェナーダイオードをコンパクトに収納できると共に、端子接続中継部を利用することで、配線及び接合等も容易になる。
【手続補正５】
【補正対象書類名】明細書
【補正対象項目名】００１５
【補正方法】変更
【補正の内容】
【００１５】
以上の説明から理解できるように、本発明の内燃機関用点火装置は、イグナイタケースのイグナイタ収納部に、インシュレーテッドバイポーラトランジスタ（ＩＧＢＴ）やパワートランジスタ等のスイッチング用半導体と電流制限回路とを組込み内蔵した単体シリコンチップの半導体素子を装着配置して構成したことによって、前記イグナイタケースのイグナイタ収納部を小形化し、かつ、軽量化することができるので、内燃機関の振動に対して強度的に強い点火装置を提供することができる。
【手続補正６】
【補正対象書類名】明細書
【補正対象項目名】００１６
【補正方法】変更
【補正の内容】
【００１６】
また、端子接続中継部を前記イグナイタ収納部に配置することで、前記単体のシリコンチップの半導体素子の接続端子と外部電気接続のコネクタ側端子との接続を前記端子接続中継部を介して行うことで、該端子間の接続を容易にできる。
【手続補正７】
【補正対象書類名】明細書
【補正対象項目名】００１７
【補正方法】変更
【補正の内容】
【００１７】
更に、ツェナーダイオードを前記端子接続中継部の上部に接合配置したことによって、前記イグナイタ収納部内に前記ツェナーダイオードをコンパクトに収納でき、その取付場所として端子接続中継部を利用することで、配線及び接着等も容易にできる。
【手続補正８】
【補正対象書類名】明細書
【補正対象項目名】００２０
【補正方法】変更
【補正の内容】
【００２０】
前記内燃機関１のシリンダヘッド部２には、内燃機関１の燃焼室３にその先端４ａが突出する点火プラグ４が装着され、該点火プラグ４の上部のプラグホール５には、本実施形態の点火装置１０が装着されている。前記点火プラグ４の他端４ｂは前記点火装置１０の下部のゴムブーツ２５に挿入され、前記点火装置１０と電気的に接続されている。前記点火装置１０の上部は、取付ボルト６で前記シリンダヘッド部２のカバー部７に取付固定されている。